(57)【要約】      （修正有）【課題】操作の習熟度が異なるあらゆるオペレータに対して操作性を向上することができる売上データ処理装置を提供する。【解決手段】ＥＣＲ１０は、表示部１４と、表示部１４の表示画面上のタッチ入力を受け付ける操作部１２と、商品の明細情報を表示する第１の明細エリアと、ＰＬＵ情報を入力するためのＰＬＵキーと、置数を入力するための置数キーの表示を切り替えるための置数表示キーと、を含み、置数キーを含まない第１の入力画面と、第１の明細エリアよりもサイズが小さい第２の明細エリアと、ＰＬＵキーと、置数キーと、前記置数表示キーと、を含む第２の入力画面と、のいずれか一方を表示部１４に表示させ、操作部１２により置数表示キーがタッチ入力された場合に、第１の入力画面と、第２の入力画面と、を切り替えて表示部１４に表示させるＣＰＵ１１と、を備える。【選択図】図１
2018088271.tif 000002
【特許請求の範囲】
【請求項１】
商品の明細情報を表示する第１の明細エリアを含む第１入力画面と、前記第１の明細エリアよりもサイズが小さい第２の明細エリアを含む第２入力画面と、のいずれか一方を表示手段に表示させる第１表示制御手段と、
ユーザ操作により画面切替が指示された場合に、前記第１入力画面と前記第２入力画面とを切り替えて前記表示手段に表示させる切替手段と、
登録商品の商品分類を指定する分類指定操作が行われた際は、商品登録操作を行うオペレータの操作習熟度の種別を判別する判別手段と、
前記判別手段で前記オペレータの種別が第１種別と判別された場合には、前記登録商品の金額入力を促すメッセージと共に、金額としての数値入力を行うための金額入力画面を表示させる第２表示制御手段と、
前記金額入力画面において入力された数値を、前記指定の商品分類に対する金額情報として登録する第１登録手段と、
前記判別手段で前記オペレータの種別が第２種別と判別された場合には、前記分類指定操作の前に入力された数値を、前記指定の商品分類に対する金額情報として登録する第２登録手段と、
を備えたことを特徴とする売上データ処理装置。
【請求項２】
前記第２表示制御手段は、複数の商品分類を指定して商品登録を行うための入力画面を表示する際は、商品登録操作を行うオペレータが前記第１種別であれば、置数キーを含まない第１入力画面を表示し、商品登録操作を行うオペレータが前記第２種別であれば、置数キーを含む第２入力画面を前記表示手段に表示させる、
ことを特徴とする請求項１に記載の売上データ処理装置。
【請求項３】
前記第２登録手段は、前記分類指定操作の前に入力された数値がない場合には、前記指定の商品分類に対して予め設定されている金額を、当該指定の商品分類に対する金額情報として登録する、
ことを特徴とする請求項１又は２に記載の売上データ処理装置。
【請求項４】
前記分類指定操作は、商品を複数に分類する複数のＰＬＵ番号の何れか指定するＰＬＵ指定操作であり、
前記第１登録手段は、前記金額入力画面において入力された数値を前記指定のＰＬＵ番号の分類に対する金額情報として登録し、
前記第２登録手段は、前記分類指定操作の前に入力された数値を前記指定のＰＬＵ番号の分類に対する金額情報として登録する、
ことを特徴とする請求項１〜３の何れかに記載の売上データ処理装置。
【請求項５】
売上データ処理装置のコンピュータを制御するためのプログラムであって、
前記コンピュータを、
商品の明細情報を表示する第１の明細エリアを含む第１入力画面と、前記第１の明細エリアよりもサイズが小さい第２の明細エリアを含む第２入力画面と、のいずれか一方を表示手段に表示させる第１表示制御手段、
ユーザ操作により画面切替が指示された場合に、前記第１入力画面と前記第２入力画面とを切り替えて前記表示手段に表示させる切替手段、
登録商品の商品分類を指定する分類指定操作が行われた際は、商品登録操作を行うオペレータの操作習熟度の種別を判別する判別手段、
前記判別手段で前記オペレータの種別が第１種別と判別された場合には、前記登録商品の金額入力を促すメッセージと共に、金額としての数値入力を行うための金額入力画面を表示させる第２表示制御手段と、
前記金額入力画面において入力された数値を、前記指定の商品分類に対する金額情報として登録する第１登録手段、
前記判別手段で前記オペレータの種別が第２種別と判別された場合には、前記分類指定操作の前に入力された数値を、前記指定の商品分類に対する金額情報として登録する第２登録手段、
として機能させるためのプログラム。
【発明の詳細な説明】
【技術分野】
【０００１】
本発明は、売上データ処理装置及びプログラムに関する。
【背景技術】
【０００２】
従来、商品の売上データの登録等の処理を行うＥＣＲ（Electronic Cash Resister：電子式金銭登録機）が知られている。また、タッチパネル式ＥＣＲも知られている。タッチパネル式ＥＣＲの画面は、
（ａ）分かりやすさを目的とする画面配置、
（ｂ）スピーディな操作を目的とする画面配置、
がとられている。より具体的には、タッチパネル式ＥＣＲは、インストール又は事前の設定により（ａ）の画面配置と、（ｂ）の画面配置と、のいずれか一つが選択され、その画面を固定的に表示していた。
【０００３】
また、ＥＣＲの操作に習熟していないオペレータ用の技術として、エラー発生時に、ヘルプキーを押すことにより、エラーの内容と以降の操作方法とをレシートに印刷し、不慣れなオペレータでも操作を続けられるようにするＥＣＲが知られている（特許文献１参照）。
【０００４】
また、エラー発生時に、次の登録データの入力を促すためのガイダンスを表示する商品販売登録データ処理装置が知られている（特許文献２参照）。
【先行技術文献】
【特許文献】
【０００５】
【特許文献１】特開２００１−０３４８４９号公報
【特許文献２】特開平０７−０９３６６１号公報
【発明の概要】
【発明が解決しようとする課題】
【０００６】
しかし、上記従来のタッチパネル式ＥＣＲでは、（ａ）の画面配置と、（ｂ）の画面配置と、が固定的に設定されているため、オペレータがかえって操作しづらくなるケースがあった。より具体的には、操作に習熟したオペレータは、（ａ）の画面配置であるとかえって商品登録作業が遅くなるおそれがある。操作に習熟していないオペレータは、（ｂ）の画面配置であるとさらに商品登録作業が遅くなるおそれがあった。
【０００７】
また、従来のエラー発生後の次の操作方法のプリントやガイダンス表示を行う構成は、エラーが発生してからの対処を行うものであり、エラーが発生するまでの操作性を向上させることができない。
【０００８】
本発明の課題は、オペレータの習熟度に応じて適した入力画面を提供し、操作性を向上させることである。
【課題を解決するための手段】
【０００９】
請求項１は、商品の明細情報を表示する第１の明細エリアを含む第１入力画面と、前記第１の明細エリアよりもサイズが小さい第２の明細エリアを含む第２入力画面と、のいずれか一方を表示手段に表示させる第１表示制御手段と、ユーザ操作により画面切替が指示された場合に、前記第１入力画面と前記第２入力画面とを切り替えて前記表示手段に表示させる切替手段と、登録商品の商品分類を指定する分類指定操作が行われた際は、商品登録操作を行うオペレータの操作習熟度の種別を判別する判別手段と、前記判別手段で前記オペレータの種別が第１種別と判別された場合には、前記登録商品の金額入力を促すメッセージと共に、金額としての数値入力を行うための金額入力画面を表示させる第２表示制御手段と、前記金額入力画面において入力された数値を、前記指定の商品分類に対する金額情報として登録する第１登録手段、前記判別手段で前記オペレータの種別が第２種別と判別された場合には、前記分類指定操作の前に入力された数値を、前記指定の商品分類に対する金額情報として登録する第２登録手段、を備えたことを特徴とする。
【発明の効果】
【００１０】
本発明によれば、オペレータの習熟度に応じて適した入力画面を提供でき、操作性を向上させることができる。
【図面の簡単な説明】
【００１１】
【図１】本発明の実施の形態のＥＣＲの構成を示すブロック図である。
【図２】画面設定テーブルの構成を示す図である。
【図３】明細エリアを拡大した入力画面を示す図である。
【図４】明細エリアを縮小した入力画面の構成を示す図である。
【図５】金銭登録処理を示すフローチャートである。
【図６】金額入力画面を示す図である。
【図７】支払い入力画面を示す図である。
【発明を実施するための形態】
【００１２】
以下、添付図面を参照して本発明に係る実施の形態を詳細に説明する。なお、本発明は、図示例に限定されるものではない。
【００１３】
先ず、図１を参照して、本実施の形態の装置構成を説明する。図１は、本実施の形態のＥＣＲ１０の構成を示すブロック図である。
【００１４】
売上データ処理装置としてのＥＣＲ１０は、個人商店、小売店、食堂等に設けられ、従業員等のオペレータ（ユーザ）の操作に応じて、商品の売上データの登録等の処理を行う。図１に示すように、ＥＣＲ１０は、表示制御手段、切替手段としてのＣＰＵ（Central Processing Unit）１１と、操作手段、オペレータ入力手段としての操作部１２と、ＲＡＭ（Random Access Memory）１３と、表示手段としての表示部１４と、ＲＯＭ（Read Only Memory）１５と、記憶手段としての記憶部１６と、印刷部１７と、ドロア１８と、を備える。ＥＣＲ１０の各部は、バス１９を介して接続されている。
【００１５】
ＣＰＵ１１は、ＥＣＲ１０の各部を制御する。ＣＰＵ１１は、ＲＯＭ１５に記憶されているシステムプログラム及びアプリケーションプログラムのうち、指定されたプログラムを読み出し、当該プログラムとの協働で、各種処理を実行する。
【００１６】
操作部１２は、表示部１４に一体的に形成されたタッチパネルである。操作部１２は、オペレータからの表示部１４の画面上へのタッチ入力を受け付け、その操作情報をＣＰＵ１１に出力する。
【００１７】
ＲＡＭ１３は、揮発性のメモリであり、各種のデータやプログラムを一時的に格納するワークエリアを有する。表示部１４は、ＬＣＤ（Liquid Crystal Display）、ＥＬ（ElectroLuminescent）ディスプレイ等であり、ＣＰＵ１１から指示された表示情報に従い各種表示を行う。
【００１８】
ＲＯＭ１５は、各種データ及びプログラムを記憶し、情報の読み出し専用のメモリである。ＲＯＭ１５には、金銭登録プログラム１５１が記憶されている。記憶部１６は、フラッシュメモリ、ＥＥＰＲＯＭ（Electrically Erasable Programmable Read Only Memory）等で構成され、情報の読み出し及び書き込みが可能なメモリである。記憶部１６には、後述する画面設定テーブル２０、ＰＬＵ（Price Look Up）設定テーブル（図示略）が記憶されている。
【００１９】
印刷部１７は、ロール紙に印刷を行う熱転写プリンタ等で構成され、ＣＰＵ１１の指示により、ロール紙によるレシート及びジャーナルに各種情報を印刷する。ドロア１８は、現金及び商品券等を格納する引き出し部と、開放部と、を有する。ドロア１８は、ＣＰＵ１１の指示により、開放部が引き出し部を開放する。開放された引き出し部は、現金格納等の後に、オペレータにより手動で閉められる。
【００２０】
次に、図２〜図４を参照して、記憶部１６に記憶される画面設定テーブル２０及び主な表示画面について説明する。図２は、画面設定テーブル２０の構成を示す図である。図３は、入力画面３０Ａを示す図である。図４は、入力画面３０Ｂの構成を示す図である。
【００２１】
画面設定テーブル２０は、オペレータごとのデフォルトの入力画面を設定するテーブルである。図２に示すように、画面設定テーブル２０は、オペレータ２１と、設定値Ｔ２２と、の項目を有する。
【００２２】
オペレータ２１は、ＥＣＲ１０を使用するオペレータの識別番号である。ＥＣＲ１０を使用するオペレータは、４人まで登録できるものとする。各オペレータの番号を、順に、０１，０２，０３，０４とする。但し、ＥＣＲ１０に登録できるオペレータの最大値は、４以外の数とする構成としてもよい。
【００２３】
設定値Ｔ２２は、オペレータ２１に対応するデフォルト表示の入力画面の識別情報である。設定値Ｔ２２が、“０”である場合に、明細エリアが拡大された入力画面３０Ａを示す。設定値Ｔ２２が、“１”である場合に、明細エリアが縮小された入力画面３０Ｂを示す。
【００２４】
図３を参照して、明細エリアが拡大された入力画面３０Ａを説明する。入力画面３０Ａは、ＥＣＲ１０の操作に習熟していないオペレータ用の入力画面である。入力画面３０Ａは、合計エリア３１と、明細エリア３２Ａと、置数表示キー３３と、訂正キー３４と、オペレータキー３５と、ＰＬＵキー３６と、中止キー３７と、支払いキー３８と、を有する。
【００２５】
合計エリア３１は、売上登録した商品の価格の小計、合計等の値段を表示する表示エリアである。明細エリア３２Ａは、登録した商品単品のＰＬＵ番号、値段等の明細情報を表示する表示エリアであって、拡大されサイズが比較的大きい。
【００２６】
置数表示キー３３は、明細エリアが拡大された入力画面３０Ａと、縮小された入力画面３０Ｂと、の表示切替を受け付けるキーである。つまり、入力画面３０Ａが表示された状態で置数表示キー３３がタッチ入力されると、入力画面３０Ｂが表示される。入力画面３０Ｂが表示された状態で置数表示キー３３がタッチ入力されると、入力画面３０Ａが表示される。
【００２７】
訂正キー３４は、入力済のＰＬＵキー等のキー入力を訂正するキーである。オペレータキー３５は、ＥＣＲ１０を使用するオペレータの切り替えの入力を受け付けるキーである。オペレータキー３５は、オペレータ番号が０１〜０４の４つのキーからなる。
【００２８】
ＰＬＵキー３６は、商品のＰＬＵ情報の入力を受け付けるキーである。ＰＬＵキー３６は、ＰＬＵ番号が０００１〜０００８の８つのキーからなる。このＰＬＵキー３６の個数は、８に限定されるものではない。ＰＬＵ情報として、各ＰＬＵ番号に対応付けて、商品の単価が設定可能である。このＰＬＵ情報のＰＬＵ設定テーブル（図示略）が、記憶部１６に記憶される。ＰＬＵ設定テーブルは、ＰＬＵ番号と、ＰＬＵ番号に対応する単価と、の項目を有する。ＰＬＵ設定テーブルは、管理者により適宜更新設定される。
【００２９】
例えば、ＰＬＵ番号が０００１のＰＬＵキー３６がタッチ入力されると、ＰＬＵ設定テーブルにより、ＰＬＵ情報としてＰＬＵ番号（０００１）及びその商品の単価が入力される。また、ＰＬＵ番号が０００１の商品のＰＬＵ情報が設定されていても設定されていなくても、置数入力の後にＰＬＵ番号が０００１のＰＬＵキー３６がタッチ入力されると、ＰＬＵ番号が０００１の商品が入力置数の単価で登録される。
【００３０】
中止キー３７は、入力中の商品登録の中止入力を受け付けるキーである。支払いキー３８は、後述する支払い入力画面の表示指示を受け付けるキーである。
【００３１】
図４を参照して、明細エリアが縮小された入力画面３０Ｂを説明する。入力画面３０Ｂは、ＥＣＲ１０の操作に習熟しているオペレータ用の入力画面である。入力画面３０Ｂは、合計エリア３１と、明細エリア３２Ｂと、置数表示キー３３と、訂正キー３４と、オペレータキー３５と、ＰＬＵキー３６と、中止キー３７と、支払いキー３８と、置数キー３９Ｂ１と、締めキー３９Ｂ２と、を有する。入力画面３０Ｂの表示要素のうち、入力画面３０Ａと同じものについては、その説明を省略する。
【００３２】
明細エリア３２Ｂは、明細エリア３２Ａよりも縮小されサイズが比較的小さい。置数キー３９Ｂ１、締めキー３９Ｂ２は、明細エリア３２Ａに対応するエリアのうち、明細エリア３２Ｂに重ならないエリアに配置されている。つまり、明細エリア３２Ａが縮小されて明細エリア３２Ｂにされ、その空いたスペースに置数キー３９Ｂ１、締めキー３９Ｂ２が配置されている。置数キー３９Ｂ１は、いわゆるテンキーであり、０〜９，００，クリア（Ｃ）のキーを含む。締めキー３９Ｂ２は、小計キー、貸（売り）キー、券（売り）キー、現金（／締め）キー、を含む。
【００３３】
次に、図３〜図７を参照して、ＥＣＲ１０の動作を説明する。図５は、金銭登録処理を示すフローチャートである。図６は、金額入力画面３０Ｃを示す図である。図７は、支払い入力画面３０Ｄを示す図である。
【００３４】
金銭登録処理は、オペレータの操作入力に応じて、顧客の会計時の商品情報（売上データ）の登録を行う処理である。ＥＣＲ１０において、例えば、電源がオンされたこと、又は店舗の管理者から操作部１２を介して金銭登録処理の実行指示が入力されたことをトリガとして、ＣＰＵ１１は、ＲＯＭ１５から読み出した金銭登録プログラム１５１との協働で、金銭登録処理を実行する。
【００３５】
また、ＥＣＲ１０を使用するオペレータは、ＥＣＲ１０の前に立ち、金銭登録の操作入力を行うものとし、仕事の状況、ローテーション等により、適宜、他のオペレータと交代するものとする。また、入力画面の変数Ｔの初期値は、１（明細エリア拡大）に設定されているものとする。但し、例えば、操作に習熟したオペレータが多い場合に、変数Ｔの初期値を０としてもよい。
【００３６】
図５に示すように、先ず、ＣＰＵ１１は、変数Ｔの初期値に応じて、金銭登録処理の開始時の入力画面として、明細エリアが拡大された入力画面３０Ａを表示部１４に表示する（ステップＳ１０）。
【００３７】
そして、ＣＰＵ１１は、表示部１４の表示画面に対応して、操作部１２を介してオペレータからのキーのタッチ入力を受け付ける（ステップＳ１１）。そして、ＣＰＵ１１は、ステップＳ１１で入力されたキーがオペレータキー３５であるか否かを判別する（ステップＳ１２）。
【００３８】
入力されたキーがオペレータキー３５である場合（ステップＳ１２；ＹＥＳ）、ＣＰＵ１１は、記憶部１６に記憶された画面設定テーブル２０を参照し、ステップＳ１１で入力されたオペレータキー３５のオペレータ２１に対応する設定値Ｔ２２を変数Ｔに代入する（ステップＳ１３）。そして、ＣＰＵ１１は、変数Ｔ＝１（明細エリア拡大）であるか否かを判別する（ステップＳ１４）。
【００３９】
変数Ｔ＝１である場合（ステップＳ１４；ＹＥＳ）、ＣＰＵ１１は、明細エリアが拡大された入力画面３０Ａを表示部１４に表示し（ステップＳ１５）、ステップＳ１１に移行する。変数Ｔ＝０（明細エリア縮小）である場合（ステップＳ１４；ＹＥＳ）、ＣＰＵ１１は、明細エリアが縮小された入力画面３０Ｂを表示部１４に表示し（ステップＳ１６）、ステップＳ１１に移行する。
【００４０】
入力されたキーがオペレータキー３５でない場合（ステップＳ１２；ＮＯ）、ＣＰＵ１１は、ステップＳ１１で入力されたキーが置数表示キー３３であるか否かを判別する（ステップＳ１７）。入力されたキーが置数表示キー３３である場合（ステップＳ１７；ＹＥＳ）、ＣＰＵ１１は、変数Ｔ＝１であるか否かを判別する（ステップＳ１８）。
【００４１】
変数Ｔ＝０である場合（ステップＳ１８；ＮＯ）、ＣＰＵ１１は、表示中の入力画面３０Ｂの明細エリア３２Ｂを拡大した入力画面３０Ａを表示部１４に表示し、変数Ｔに１を代入し（ステップＳ１９）、ステップＳ１１に移行する。変数Ｔ＝１である場合（ステップＳ１８；ＹＥＳ）、ＣＰＵ１１は、表示中の入力画面３０Ａの明細エリア３２Ａを縮小した入力画面３０Ｂを表示部１４に表示し、変数Ｔに０を代入し（ステップＳ２０）、ステップＳ１１に移行する。
【００４２】
入力されたキーが置数表示キー３３でない場合（ステップＳ１７；ＮＯ）、ＣＰＵ１１は、ステップＳ１１で入力されたキーがＰＬＵキー３６であるか否かを判別する（ステップＳ２１）。入力されたキーがＰＬＵキー３６である場合（ステップＳ２１；ＹＥＳ）、ＣＰＵ１１は、変数Ｔ＝１であるか否かを判別する（ステップＳ２２）。
【００４３】
変数Ｔ＝０である場合（ステップＳ２２；ＮＯ）、ＣＰＵ１１は、入力済の置数を商品の金額（単価）として、入力されたＰＬＵキー３６のＰＬＵ番号とともに登録（商品登録）し（ステップＳ２３）、ステップＳ１１に移行する。ステップＳ２３では、商品登録したＰＬＵ番号及び金額が明細エリア３２Ｂに表示される。なお、ステップＳ２３で、入力済の置数がなく、記憶部１６に記憶されているＰＬＵ設定テーブルに、入力されたＰＬＵキー３６のＰＬＵ番号に対応する金額が設定されている場合に、当該設定されている金額が登録される。
【００４４】
変数Ｔ＝１である場合（ステップＳ２２；ＹＥＳ）、ＣＰＵ１１は、金額入力画面３０Ｃを表示部１４に表示し、金額入力画面３０Ｃの金額入力エリア３９Ｃに対応して、操作部１２を介して金額入力を受け付け、入力された金額を、入力されたＰＬＵキー３６のＰＬＵ番号とともに登録（商品登録）し、入力画面３０Ａを表示部１４に表示し（ステップＳ２４）、ステップＳ１１に移行する。ステップＳ２４では、商品登録したＰＬＵ番号及び金額が明細エリア３２Ａに表示される。なお、ステップＳ２４で、入力済の置数がなく、記憶部１６に記憶されているＰＬＵ設定テーブルに、入力されたＰＬＵキー３６のＰＬＵ番号に対応する金額が設定されている場合に、金額入力画面３０Ｃが表示されることなく、当該設定されている金額が登録される。
【００４５】
ここで、図６を参照して、ステップＳ２４で表示される金額入力画面３０Ｃを説明する。金額入力エリア３９Ｃは、金額入力のダイアログであり、金額表示エリア３９Ｃ１と、置数キー３９Ｃ２と、ＯＫキー３９Ｃ３と、を有する。金額表示エリア３９Ｃ１は、置数キー３９Ｃ２で入力された金額の表示エリアである。置数キー３９Ｃ２は、金額の置数を入力するためのテンキーである。ＯＫキー３９Ｃ３は、置数キー３９Ｃ２により入力された置数を金額として確定するためのキーである。
【００４６】
入力されたキーがＰＬＵキー３６でない場合（ステップＳ２１；ＮＯ）、ＣＰＵ１１は、ステップＳ１１で入力されたキーが支払いキー３８であるか否かを判別する（ステップＳ２５）。入力されたキーが支払いキー３８である場合（ステップＳ２５；ＹＥＳ）、ＣＰＵ１１は、支払い入力画面３０Ｄを表示部１４に表示し（ステップＳ２６）、ステップＳ１１に移行する。
【００４７】
ここで、図７を参照して、ステップＳ２６で表示される支払い入力画面３０Ｄを説明する。支払い入力画面３０Ｄは、合計エリア３１と、明細エリア３２Ａと、オペレータキー３５と、中止キー３７と、置数キー３９Ｄ１と、締めキー３９Ｄ２と、を有する。置数キー３９Ｄ１は、置数キー３９Ｂ１と同様のテンキーである。締めキー３９Ｄ２は、締めキー３９Ｂ２と同様のキー群である。置数キー３９Ｄ１、置数キー３９Ｄ１、締めキー３９Ｄ２は、他の入力画面のＰＬＵキー３６の位置に配置されている。
【００４８】
入力画面３０Ａには、締めキーが含まれないので、締め処理を行うには、支払い入力画面３０Ｄの表示が必須である。一方、入力画面３０Ｂには、締めキー３９Ｂ２が含まれるので、締め処理を行う場合にも、支払い入力画面３０Ｄの表示が必須ではない。
【００４９】
入力されたキーが支払いキー３８でない場合（ステップＳ２５；ＮＯ）、ＣＰＵ１１は、ステップＳ１１で入力されたその他のキーに応じた処理を行う（ステップＳ２７）。そして、ＣＰＵ１１は、ステップＳ２７での処理が、締めキー３９Ｂ２又は３９Ｄ２の現金（／締め）キーの入力に応じた締め処理であるか否かを判別する（ステップＳ２８）。
【００５０】
締め処理でない場合（ステップＳ２８；ＮＯ）、ステップＳ１１に移行される。締め処理である場合（ステップＳ２８；ＹＥＳ）、ＣＰＵ１１は、変数Ｔに応じた入力画面３０Ａ又は３０Ｂを表示部１４に表示し（ステップＳ２９）、ステップＳ１１に移行する。
【００５１】
以上、本実施の形態によれば、ＥＣＲ１０は、操作部１２により表示部１４の表示画面上のタッチ入力を受け付け、明細エリア３２Ａと、ＰＬＵキー３６と、置数表示キー３３と、を含み、置数キーを含まない入力画面３０Ａと、明細エリア３２Ａよりもサイズが小さい明細エリア３２Ｂと、ＰＬＵキー３６と、置数キー３９Ｂ１と、置数表示キー３３と、を含む入力画面３０Ｂと、のいずれか一方を表示部１４に表示させる。ＥＣＲ１０は、操作部１２により置数表示キーがタッチ入力された場合に、入力画面３０Ａ，３０Ｂを切り替えて表示部１４に表示させる。
【００５２】
このため、操作の習熟度が異なるあらゆるオペレータに対して、入力画面における操作性を向上できる。より具体的には、操作に習熟したオペレータが、置数キーを用いて詳細に操作が可能な入力画面３０Ｂを使用でき、当該習熟したオペレータに対して操作性を向上できるとともに、操作に習熟していないオペレータが、置数キーがないため容易に操作が可能な入力画面３０Ａを使用でき、当該習熟していないオペレータに対しても操作性を向上できる。
【００５３】
また、ＥＣＲ１０は、操作部１２によりＥＣＲ１０を使用するオペレータの入力を受け付け、画面設定テーブル２０を記憶部１６に記憶し、オペレータが入力された場合に、画面設定テーブル２０を用いて、当該入力されたオペレータに対応する入力画面３０Ａ又は３０Ｂを表示部１４に表示させる。このため、オペレータに対応する入力画面３０Ａ又は３０Ｂを適切にデフォルト表示できる。
【００５４】
また、ＥＣＲ１０は、入力画面３０Ａを表示中に、ＰＬＵキー３６がタッチ入力された場合に、ＰＬＵキー３６に対応する金額の置数を入力するための金額入力エリア３９Ｃを入力画面３０Ａに表示させた金額入力画面３０Ｃを表示し、金額入力エリア３９Ｃに対応して入力された置数を金額として受け付ける。このため、操作に習熟していないオペレータが、ＰＬＵの金額を容易に入力できる。
【００５５】
また、入力画面３０Ａは、明細エリア３２Ａと、置数キー３９Ｄ１と、締めキー３９Ｄ２とを含み、ＰＬＵキー３６を含まない支払い入力画面３０Ｄを表示させるための支払いキー３８を含む。ＥＣＲ１０は、操作部１２により支払いキー３８がタッチ入力された場合に、支払い入力画面３０Ｄを表示部１４に表示させる。このため、入力画面３０Ａを使用した場合にも、支払い入力画面３０Ｄを表示させることで、締めキー３９Ｄ２により確実に締め処理を実行完了することができる。
【００５６】
以上の説明では、本発明に係るプログラムのコンピュータ読み取り可能な媒体としてＲＯＭ１５を使用した例を開示したが、この例に限定されない。その他のコンピュータ読み取り可能な媒体として、フラッシュメモリ等の不揮発性メモリ、ＣＤ−ＲＯＭ等の可搬型記録媒体を適用することが可能である。また、本発明に係るプログラムのデータを通信回線を介して提供する媒体として、キャリアウエーブ（搬送波）も本発明に適用される。
【００５７】
なお、上記実施の形態における記述は、本発明に係る売上データ処理装置及びプログラムの一例であり、これに限定されるものではない。
【００５８】
例えば、上記実施の形態では、売上データ処理装置がＥＣＲである例を説明したが、これに限定されるものではない。売上データ処理装置としては、ＰＯＳ（Point Of Sales）端末等としてもよい。
【００５９】
また、上記実施の形態では、ＥＣＲ１０を使用するオペレータの入力を、オペレータキー３５のタッチ入力により行う構成としたが、これに限定されるものではない。例えば、ＥＣＲ１０が、バーコードのスキャナを備え、オペレータの名札に印刷されたオペレータの識別情報を含むバーコードをスキャナで読み取ることにより、当該オペレータを入力する構成としてもよい。
【００６０】
また、上記実施の形態におけるＥＣＲ１０の各構成要素の細部構成及び細部動作に関しては、本発明の趣旨を逸脱することのない範囲で適宜変更可能であることは勿論である。
【００６１】
本発明の実施の形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
オペレータの操作に基づいて商品登録を行う売上データ処理装置であって、
表示手段と、
前記表示手段の表示画面上のタッチ入力を受け付ける操作手段と、
商品の明細情報を表示する第１の明細エリアと、ＰＬＵ情報を入力するためのＰＬＵキーと、置数を入力するための置数キーの表示を切り替えるための置数表示キーと、を含み、前記置数キーを含まない第１の入力画面と、前記第１の明細エリアよりもサイズが小さい第２の明細エリアと、前記ＰＬＵキーと、前記置数キーと、前記置数表示キーと、を含む第２の入力画面と、のいずれか一方を前記表示手段に表示させる表示制御手段と、
前記操作手段により前記置数表示キーがタッチ入力された場合に、前記第１の入力画面と、前記第２の入力画面と、を切り替えて前記表示手段に表示させる切替手段と、を備える売上データ処理装置。
＜請求項２＞
売上データ処理装置を使用するオペレータの入力を受け付けるオペレータ入力手段と、
複数のオペレータにそれぞれ対応する前記第１又は第２の入力画面の設定情報を記憶する記憶手段と、を備え、
前記表示制御手段は、前記オペレータ入力手段によりオペレータが入力された場合に、前記記憶された設定情報に応じて、当該入力されたオペレータに対応する前記第１又は第２の入力画面を前記表示手段に表示させる請求項１に記載の売上データ処理装置。
＜請求項３＞
前記表示制御手段は、前記第１の入力画面を表示中に、前記ＰＬＵキーがタッチ入力された場合に、当該ＰＬＵキーに対応する金額の置数を入力するための金額入力エリアを当該第１の入力画面に表示させ、
前記操作手段は、前記金額入力エリアに対応して入力された置数を金額として受け付ける請求項１又は２に記載の売上データ処理装置。
＜請求項４＞
前記第１の入力画面は、前記第１の明細エリアと、前記置数キーと、締めキーと、を含み、前記ＰＬＵキーを含まない支払い入力画面を表示させるための支払いキーを含み、
前記表示制御手段は、前記操作手段により前記支払いキーがタッチ入力された場合に、前記支払い入力画面を前記表示手段に表示させる請求項１から３のいずれか一項に記載の売上データ処理装置。
＜請求項５＞
コンピュータを、
表示手段、
前記表示手段の表示画面上のタッチ入力を受け付ける操作手段、
商品の明細情報を表示する第１の明細エリアと、ＰＬＵ情報を入力するためのＰＬＵキーと、置数を入力するための置数キーの表示を切り替えるための置数表示キーと、を含み、前記置数キーを含まない第１の入力画面と、前記第１の明細エリアよりもサイズが小さい第２の明細エリアと、前記ＰＬＵキーと、前記置数キーと、前記置数表示キーと、を含む第２の入力画面と、のいずれか一方を前記表示手段に表示させる表示制御手段、
前記操作手段により前記置数表示キーがタッチ入力された場合に、前記第１の入力画面と、前記第２の入力画面と、を切り替えて前記表示手段に表示させる切替手段、
として機能させるためのプログラム。
【符号の説明】
【００６２】
１０  ＥＣＲ
１１  ＣＰＵ
１２  操作部
１３  ＲＡＭ
１４  表示部
１５  ＲＯＭ
１６  記憶部
１７  印刷部
１８  ドロア
１９  バス
【図１】
2018088271.tif 000003
【図２】
2018088271.tif 000004
【図３】
2018088271.tif 000005
【図４】
2018088271.tif 000006
【図５】
2018088271.tif 000007
【図６】
2018088271.tif 000008
【図７】
2018088271.tif 000009
【手続補正書】
【提出日】平成30年3月6日(2018.3.6)
【手続補正１】
【補正対象書類名】明細書
【補正対象項目名】０００９
【補正方法】変更
【補正の内容】
【０００９】
本発明に係る売上データ処理装置は、登録商品の商品分類を選択するための選択キーと預かり金額を入力するための置数キーとが第１画面として同時に表示される第１入力モードと、前記登録商品の商品分類を選択するための選択キーが第２画面に表示されるとともに前記預かり金額を入力するための置数キーが前記第２画面とは異なるタイミングで表示される第３画面に表示される第２入力モードと、を有し、登録商品の明細情報を表示するための明細表示エリアが、前記第２入力モードでは前記第２画面と前記第３画面との両方で表示され且つ前記第２画面と前記第３画面との間で同じサイズで表示され、且つ、前記第１入力モードでは前記第１画面に前記第２画面または前記第３画面で表示される前記明細表示エリアのサイズよりも狭い表示サイズで表示される、ことを特徴とする。
また、本発明に係るプログラムは、コンピュータを、登録商品の商品分類を選択するための選択キーと預かり金額を入力するための置数キーとが第１画面として同時に表示される第１入力モードを実行させる第１実行手段、前記登録商品の商品分類を選択するための選択キーが第２画面に表示されるとともに前記預かり金額を入力するための置数キーが前記第２画面とは異なるタイミングで表示される第３画面に表示される第２入力モードを実行させる第２実行手段、として機能させ、登録商品の明細情報を表示するための明細表示エリアが、前記第２入力モードでは前記第２画面と前記第３画面との両方で表示され且つ前記第２画面と前記第３画面との間で同じサイズで表示され、且つ、前記第１入力モードでは前記第１画面に前記第２画面または前記第３画面で表示される前記明細表示エリアのサイズよりも狭い表示サイズで表示される、ことを特徴とする。
【手続補正２】
【補正対象書類名】特許請求の範囲
【補正対象項目名】全文
【補正方法】変更
【補正の内容】
【特許請求の範囲】
【請求項１】
登録商品の商品分類を選択するための選択キーと預かり金額を入力するための置数キーとが第１画面として同時に表示される第１入力モードと、
前記登録商品の商品分類を選択するための選択キーが第２画面に表示されるとともに前記預かり金額を入力するための置数キーが前記第２画面とは異なるタイミングで表示される第３画面に表示される第２入力モードと、
を有し、
登録商品の明細情報を表示するための明細表示エリアが、前記第２入力モードでは前記第２画面と前記第３画面との両方で表示され且つ前記第２画面と前記第３画面との間で同じサイズで表示され、且つ、前記第１入力モードでは前記第１画面に前記第２画面または前記第３画面で表示される前記明細表示エリアのサイズよりも狭い表示サイズで表示される、
ことを特徴とする売上データ処理装置。
【請求項２】
前記第１モードから前記第２モードへの切り替えを指定するためのモード切替キーが前記第１画面に表示され、且つ、前記第２モードから前記第１モードへの切り替えを指定するためのモード切替キーが前記第２画面に表示される、
ことを特徴とする請求項１に記載の売上データ処理装置。
【請求項３】
前記預かり金額を入力するための置数キーが、前記第１画面と前記第３画面との間で同じサイズで表示される、
ことを特徴とする請求項１または２に記載の売上データ処理装置。
【請求項４】
前記預かり金額を入力するための置数キーが、前記第１画面では前記明細表示エリアに対して縦方向に並べて表示され、且つ、前記第３画面では前記明細表示エリアに対して横方向に並べて表示される、
ことを特徴とする請求項１から３の何れかに記載の売上データ処理装置。
【請求項５】
前記登録商品の商品分類を選択するための選択キーが、前記第１画面では前記明細表示エリアに対して横方向に並べて表示され、且つ、前記第３画面では前記置数キーに対して横方向に並べて表示される、
ことを特徴とする請求項１から４の何れかに記載の売上データ処理装置。
【請求項６】
コンピュータを、
登録商品の商品分類を選択するための選択キーと預かり金額を入力するための置数キーとが第１画面として同時に表示される第１入力モードを実行させる第１実行手段、
前記登録商品の商品分類を選択するための選択キーが第２画面に表示されるとともに前記預かり金額を入力するための置数キーが前記第２画面とは異なるタイミングで表示される第３画面に表示される第２入力モードを実行させる第２実行手段、
として機能させ、
登録商品の明細情報を表示するための明細表示エリアが、前記第２入力モードでは前記第２画面と前記第３画面との両方で表示され且つ前記第２画面と前記第３画面との間で同じサイズで表示され、且つ、前記第１入力モードでは前記第１画面に前記第２画面または前記第３画面で表示される前記明細表示エリアのサイズよりも狭い表示サイズで表示される、
ことを特徴とするプログラム。